(57)【要約】【課題】情報端末とビーコン信号の送信装置との距離を推定するために用いる受信強度の区分をユーザが任意に設定できる情報端末を提供する。【解決手段】情報端末１００は、操作を受け付ける受付部１１０と、送信装置２００から送信されるビーコン信号の受信強度の測定を行う測定部１２０と、操作が受け付けられた際に測定部１２０により測定されたビーコン信号の受信強度に基づいて、情報端末１００と送信装置２００との距離に係る複数の区分とビーコン信号の受信強度とを対応付ける設定情報を規定する設定部１３０と、設定部１３０で設定情報が規定された後に測定部１２０で測定された受信強度から、その設定情報に基づいて、複数の区分のうち情報端末１００と送信装置２００との位置関係に該当する区分を判定し、判定した区分に基づく出力を実行する出力部１４０とを備える。【選択図】図２
2017123574.tif 000002
【特許請求の範囲】
【請求項１】
プロセッサを備え通信機能を有する情報端末に所定情報処理を実行させるための制御プログラムであって、
前記所定情報処理は、
操作を受け付ける受付ステップと、
送信装置から送信されるビーコン信号の受信強度の測定を行う測定ステップと、
前記操作が受け付けられた際に前記測定ステップで測定された前記受信強度に基づいて、前記情報端末と前記送信装置との距離に係る複数の区分とビーコン信号の受信強度とを対応付ける設定情報を規定する設定ステップとを含む
制御プログラム。
【請求項２】
前記測定ステップでは、前記受信強度の測定を繰り返し行い、
前記設定情報は、前記複数の区分のうち第１区分と第２区分との間の境界に対応するビーコン信号の受信強度である第１閾値を示す情報を含み、
前記設定ステップでは、第１操作が受け付けられた際に、前記測定ステップで複数回に亘って測定された複数の前記受信強度に基づいて前記第１閾値を定めることにより、前記設定情報の規定を行う
請求項１記載の制御プログラム。
【請求項３】
前記設定ステップでは、前記第１操作が受け付けられた際に、前記測定ステップでＮ回（Ｎは３以上の整数）に亘って連続的に測定されたＮ個の前記受信強度の値における中央値、又は、Ｎ個の前記受信強度の値のうち大きい方からＭ個（Ｍは１以上Ｎ／２未満の整数）と小さな方からＭ個とを除いた値の平均値を、前記第１閾値として定めることにより、前記設定情報の規定を行う
請求項２記載の制御プログラム。
【請求項４】
前記所定情報処理は、更に、前記設定ステップで規定された前記設定情報が含む前記第１閾値に対応する距離を特定して当該距離を表示する距離表示ステップを含む
請求項２又は３記載の制御プログラム。
【請求項５】
前記設定情報は、前記複数の区分のうちの前記第２区分と、当該第２区分に連続する第３区分との間の境界に対応するビーコン信号の受信強度である第２閾値を示す情報を更に含み、
前記設定ステップでは更に、第２操作が受け付けられた際に、前記測定ステップで複数回に亘って測定された複数の前記受信強度に基づいて前記第２閾値を定めることにより、前記設定情報の規定を行う
請求項２〜４のいずれか一項に記載の制御プログラム。
【請求項６】
前記第２区分は、前記第１区分より遠距離に相当し、かつ、前記第３区分より近距離に相当し、
前記設定ステップでは、更に、
前記設定情報が示す前記第２閾値を定めた後に前記第１操作が受け付けられた際に、前記測定ステップで複数回に亘って測定された複数の前記受信強度に基づいて前記第１閾値の候補値を定め、前記第１閾値の候補値が前記第２閾値より大きい場合には、前記第１閾値の候補値を前記第１閾値として定めることにより前記設定情報の規定を行い、前記第１閾値の候補値が前記第２閾値より大きくない場合には、当該設定情報の当該規定を抑止し、
前記設定情報が示す前記第１閾値を定めた後に前記第２操作が受け付けられた際に、前記測定ステップで複数回に亘って測定された複数の前記受信強度に基づいて前記第２閾値の候補値を定め、前記第２閾値の候補値が前記第１閾値より小さい場合には、前記第２閾値の候補値を前記第２閾値として定めることにより前記設定情報の規定を行い、前記第２閾値の候補値が前記第１閾値より小さくない場合には、当該設定情報の当該規定を抑止する
請求項５記載の制御プログラム。
【請求項７】
前記設定情報は、
前記複数の区分のうち第１区分と第２区分との間の境界に対応するビーコン信号の受信強度である第１閾値を示す情報と、
前記複数の区分のうちの前記第２区分と、当該第２区分に連続する第３区分との間の境界に対応するビーコン信号の受信強度である第２閾値を示す情報とを含み、
前記第２区分は、前記第１区分より遠距離に相当し、かつ、前記第３区分より近距離に相当し、
前記設定ステップでは、
第１操作が受け付けられた際に、前記測定ステップで測定された前記受信強度に基づいて前記第１閾値を定めることにより、前記設定情報の規定を行い、
更に、前記設定情報が示す前記第１閾値を定めた後に第２操作が受け付けられた際に、前記測定ステップで測定された前記受信強度に基づいて前記第２閾値の候補値を定め、前記第２閾値の候補値が前記第１閾値より小さい場合には、前記第２閾値の候補値を前記第２閾値として定めることにより前記設定情報の規定を行い、前記第２閾値の候補値が前記第１閾値より小さくない場合には、当該設定情報の当該規定を抑止する
請求項１記載の制御プログラム。
【請求項８】
前記所定情報処理は、更に、前記設定ステップで前記設定情報の規定の前記抑止を行う場合において異常を報知する異常報知ステップを含む
請求項６又は７記載の制御プログラム。
【請求項９】
前記所定情報処理は、更に、前記測定ステップで測定したビーコン信号の受信強度と当該ビーコン信号の内容とに基づく表示を行う表示ステップを含む
請求項１〜８のいずれか一項に記載の制御プログラム。
【請求項１０】
前記測定ステップでは、前記受信強度の測定を繰り返し行い、
前記所定情報処理は、更に、前記設定ステップで前記設定情報が規定された後に前記測定ステップで測定された前記受信強度から、当該設定情報に基づいて、前記複数の区分のうち前記情報端末と前記送信装置との位置関係に該当する区分を判定し、判定した区分に基づく出力を実行する出力ステップを含む
請求項１〜９のいずれか一項に記載の制御プログラム。
【請求項１１】
前記出力ステップでは、前記判定した区分が所定区分である場合に前記情報端末の外部に所定信号を送信することで前記出力を実行する
請求項１０記載の制御プログラム。
【請求項１２】
送信装置から送信されるビーコン信号を受信する情報端末であって、
操作を受け付ける受付部と、
前記送信装置から送信されるビーコン信号の受信強度の測定を行う測定部と、
前記操作が受け付けられた際に前記測定部により測定された前記受信強度に基づいて、前記情報端末と前記送信装置との距離に係る複数の区分とビーコン信号の受信強度とを対応付ける設定情報を規定する設定部と、
前記設定部で前記設定情報が規定された後に前記測定部で測定された前記受信強度から、当該設定情報に基づいて、前記複数の区分のうち前記情報端末と前記送信装置との位置関係に該当する区分を判定し、判定した区分に基づく出力を実行する出力部とを備える
情報端末。
【請求項１３】
送信装置から送信されるビーコン信号を受信する情報端末により用いられる情報処理方法であって、
操作を受け付ける受付ステップと、
送信装置から送信されるビーコン信号の受信強度の測定を繰り返し行う測定ステップと、
前記操作が受け付けられた際に前記測定ステップで測定された前記受信強度に基づいて、前記情報端末と前記送信装置との距離に係る複数の区分とビーコン信号の受信強度とを対応付ける設定情報を規定する設定ステップと、
前記設定ステップで前記設定情報が規定された後に前記測定ステップで測定された前記受信強度から、当該設定情報に基づいて、前記複数の区分のうち前記情報端末と前記送信装置との位置関係に該当する区分を判定し、判定した区分に基づく出力を実行する出力ステップとを含む
情報処理方法。
【発明の詳細な説明】
【技術分野】
【０００１】
本発明は、ビーコン信号を受信する情報端末、その情報端末で用いられる情報処理方法及び制御プログラムに関する。
【背景技術】
【０００２】
近距離無線通信技術のＢｌｕｅｔｏｏｔｈ（登録商標）Ｌｏｗ  Ｅｎｅｒｇｙ（ＢＬＥ）を用いて、ビーコン信号を送信する送信装置からビーコン信号を受信するｉＢｅａｃｏｎ（登録商標）機能を実装したスマートフォン等の端末が、普及している。
【０００３】
また従来、ビーコン装置から送信されたビーコン信号の受信強度（ＲＳＳＩ：Received Signal Strength Indicator）が所定値より大きいか否かによりビーコン装置とスマートフォンとが「近い」か否かを推定する技術が知られている（特許文献１参照）。また、ビーコン信号を受信した受信装置が機器にコマンドを送出する機器制御技術が知られている（特許文献２参照）。
【先行技術文献】
【特許文献】
【０００４】
【特許文献１】特開２０１５−１３６０４４号公報
【特許文献２】特開２０１１−２３４２５０号公報
【発明の概要】
【発明が解決しようとする課題】
【０００５】
特許文献１に係るスマートフォンでは、ビーコン信号の受信強度とスマートフォンで固定的に定めている所定値との比較により、ビーコン装置とスマートフォンとが「近い」か否かを区別する。しかし、ユーザにとっては、スマートフォンの定めた所定値を認識し難く、その所定値がユーザにとって利用し易い値となっているとは限らない。例えば、スマートフォンを携帯するユーザにとって、どの程度ビーコン信号の送信装置に近づけばビーコン信号の受信強度が所定値より大きくなる（「近い」と推定される）かを把握することは容易ではない。
【０００６】
そこで、本発明は、スマートフォン等の情報端末とビーコン信号の送信装置との距離を推定するために用いる受信強度の区分（近い距離、遠い距離等を区別する区分）をユーザが任意に設定できる情報端末を提供することを目的とする。また、本発明は、その情報端末で用いられる情報処理方法及び制御プログラムを提供することを目的とする。
【課題を解決するための手段】
【０００７】
上記目的を達成するために本発明の一態様に係る制御プログラムは、プロセッサを備え通信機能を有する情報端末に所定情報処理を実行させるための制御プログラムであって、前記所定情報処理は、操作を受け付ける受付ステップと、送信装置から送信されるビーコン信号の受信強度の測定を行う測定ステップと、前記操作が受け付けられた際に前記測定ステップで測定された前記受信強度に基づいて、前記情報端末と前記送信装置との距離に係る複数の区分とビーコン信号の受信強度とを対応付ける設定情報を規定する設定ステップとを含む。
【０００８】
また、本発明の一態様に係る情報端末は、送信装置から送信されるビーコン信号を受信する情報端末であって、操作を受け付ける受付部と、前記送信装置から送信されるビーコン信号の受信強度の測定を行う測定部と、前記操作が受け付けられた際に前記測定部により測定された前記受信強度に基づいて、前記情報端末と前記送信装置との距離に係る複数の区分とビーコン信号の受信強度とを対応付ける設定情報を規定する設定部と、前記設定部で前記設定情報が規定された後に前記測定部で測定された前記受信強度から、当該設定情報に基づいて、前記複数の区分のうち前記情報端末と前記送信装置との位置関係に該当する区分を判定し、判定した区分に基づく出力を実行する出力部とを備える。
【０００９】
また、本発明の一態様に係る情報処理方法は、送信装置から送信されるビーコン信号を受信する情報端末により用いられる情報処理方法であって、操作を受け付ける受付ステップと、送信装置から送信されるビーコン信号の受信強度の測定を繰り返し行う測定ステップと、前記操作が受け付けられた際に前記測定ステップで測定された前記受信強度に基づいて、前記情報端末と前記送信装置との距離に係る複数の区分とビーコン信号の受信強度とを対応付ける設定情報を規定する設定ステップと、前記設定ステップで前記設定情報が規定された後に前記測定ステップで測定された前記受信強度から、当該設定情報に基づいて、前記複数の区分のうち前記情報端末と前記送信装置との位置関係に該当する区分を判定し、判定した区分に基づく出力を実行する出力ステップとを含む。
【発明の効果】
【００１０】
本発明によれば、情報端末とビーコン信号の送信装置との距離を推定するために用いる受信強度の区分について、ユーザが操作により任意に設定できるようになる。
【図面の簡単な説明】
【００１１】
【図１】実施の形態に係る情報端末を含む制御システムの概略構成図である。
【図２】実施の形態に係る情報端末の機能ブロック図である。
【図３】実施の形態に係る情報端末における設定情報の一例を示す図である。
【図４】実施の形態に係る情報端末におけるキャリブレーション処理の一例を示すフローチャートである。
【図５】繰り返し測定したビーコン信号の受信強度（測定値）の一例を示す図である。
【図６】実施の形態に係る情報端末の画面の一例を示す図である。
【図７】実施の形態に係る情報端末の画面（エラーメッセージ表示）の一例を示す図である。
【図８】実施の形態に係る情報端末における制御処理の一例を示すフローチャートである。
【発明を実施するための形態】
【００１２】
以下、実施の形態について、図面を参照して説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
（実施の形態１）
以下、本発明の一実施形態に係る情報端末１００を含む制御システム１０について説明する。
【００１４】
（構成）
図１は、実施の形態に係る情報端末１００を含む制御システム１０を示す概略構成図である。
【００１５】
制御システム１０は、情報端末１００がビーコン信号を受信して一定条件下で制御信号を送信することで、住宅２０における機器を制御するためのシステムである。制御システム１０は、同図に示すように、情報端末１００、送信装置２００、通信装置３００、及び、住宅２０における機器の一例としての機器３１０ａ、３１０ｂを含んで構成される。なお、通信装置３００は例えば無線又は有線のＬＡＮ（Local Area Network）を介して機器３１０ａ、３１０ｂと通信可能に構成されている。制御システム１０において情報端末１００以外に同種の情報端末を任意の数含んでもよく、また送信装置２００以外に同種の送信装置を任意の数含んでもよい。
【００１６】
送信装置２００は、ＢＬＥに準拠して、ビーコン信号を繰り返し送信するビーコン発信機である。送信装置２００は、住宅２０における屋内、屋外の任意の場所に設置して利用され得る。ここでは、送信装置２００が住宅２０の玄関ドア付近に設置されており屋外に向けてビーコン信号を送信するものとして説明する。
【００１７】
通信装置３００は、住宅２０における機器３１０ａ、３１０ｂを制御する装置としてのコンピュータである。通信装置３００は、メモリ等の記憶媒体、プロセッサ、通信回路等を備える。プロセッサは、メモリに格納されたプログラムを実行することにより通信回路等を制御する処理を行う。プロセッサによるプログラムの実行により通信装置３００は、情報端末１００との通信に基づいて、ＬＡＮを介して予め定められた機器制御信号を送信することで機器３１０ａ、３１０ｂを制御する機能を発揮する。
【００１８】
機器３１０ａ、３１０ｂは、住宅２０において通信装置３００からの機器制御信号を受信可能な電気機器を代表して表したものであり、例えば照明器具、空調機器、暖房器具、録画再生装置、音響映像機器、電気錠システム等である。ここでは、機器３１０ａは照明機器であり、機器３１０ｂは玄関ドアの電気錠システム（施錠及び解錠を行う制御装置）であることとして説明する。機器３１０ａ、３１０ｂは、通信装置３００から機器制御信号を受けた場合にその機器制御信号に従って動作する機能を有する。
【００１９】
情報端末１００は、スマートフォン、タブレット等の端末装置、つまりメモリ、プロセッサ（マイクロプロセッサ）、入力装置、表示装置、通信回路等を備えるコンピュータである。表示装置は例えばＬＣＤ（Liquid Crystal Display）等のディスプレイであり、入力装置は例えばスイッチ、ボタン、キーボード等の操作部或いはディスプレイと一体となったタッチパネル等である。メモリは、プログラム及びデータを予め保持しているＲＯＭ（Read Only Memory）、プログラムの実行に際してデータ等の記憶に利用するためのＲＡＭ（Random Access Memory）等であり、例えば不揮発性メモリを含んでいても良い。プロセッサは、メモリに格納された制御プログラムを実行することにより通信回路等を制御する処理を行う。情報端末１００は、ＢＬＥに準拠したビーコン信号を受信可能であり、また、通信装置３００と無線ＬＡＮ等により通信可能である。情報端末１００は、ビーコン信号を受信して一定条件下で制御信号を通信装置３００に送信する機能（制御機能）と、ビーコン信号の受信強度（ＲＳＳＩ）の複数の区分を規定するための設定情報を変更（調整）する機能（キャリブレーション機能）を有する。この複数の区分は、情報端末１００とビーコン信号の送信装置２００との距離を推定するために用いる受信強度の区分である。ここでは、推定する距離に係る複数の区分が、その距離の度合いとしての近接度（proximity）を表し、距離が短い方から順に、Ｉｍｍｅｄｉａｔｅ（接近）、Ｎｅａｒ（近い）、Ｆａｒ（遠い）の３つの区分である例を用いて説明する。情報端末１００は、メモリに格納された制御プログラムをプロセッサが実行することで、キャリブレーション機能のためのキャリブレーション処理（後述）、制御機能のための制御処理（後述）等といった情報処理方法を実現する。制御プログラムは例えばＯＳ（Operating System）の一部或いはアプリケーションプログラムである。情報端末１００は、住宅２０の住人（ユーザ）に携帯され、ユーザの移動に付随して移動する。
【００２０】
制御システム１０において情報端末１００の制御機能が動作する場面には、次のようなものがある。例えば、情報端末１００を携帯するユーザが外出先から住宅２０へ帰宅する場面において情報端末１００が受信するビーコン信号の受信強度が、Ｎｅａｒ区分から、Ｉｍｍｅｄｉａｔｅ区分へと変化した際に情報端末１００から特定の制御信号を送信する。この制御信号を通信装置３００が受けて一定条件下で電気錠システムである機器３１０ｂに解錠に必要な制御を行わせる。また、例えば、情報端末１００を携帯するユーザが住宅２０から外出する場面において情報端末１００が受信するビーコン信号の受信強度が、Ｎｅａｒ区分から、Ｆａｒ区分へと変化した際に情報端末１００からまた別の特定の制御信号を送信する。この制御信号を通信装置３００が受けて一定条件下で照明機器である機器３１０ａに消灯状態とする制御を行わせる。このように、情報端末１００は、ビーコン信号の受信強度がどの区分に該当するかを区別して必要に応じて制御信号を送信し得る。
【００２１】
情報端末１００は、上述の区分と受信強度との関係について、キャリブレーション機能（キャリブレーション処理）を実行することで任意に変更し得る。このためユーザは、情報端末１００を操作してキャリブレーション処理を実行させることで、情報端末１００とビーコン信号の送信装置２００との位置関係と、Ｉｍｍｅｄｉａｔｅ区分、Ｎｅａｒ区分及びＦａｒ区分との対応付けを変更（調整）することができる。
【００２２】
図２は、情報端末１００の機能ブロック図である。
【００２３】
情報端末１００は、キャリブレーション機能及び制御機能を実現するため、機能構成要素として図２に示すように受付部１１０、測定部１２０、設定部１３０、出力部１４０及び表示部１５０を備える。
【００２４】
受付部１１０は、例えば入力装置、制御プログラムを実行するプロセッサ等により実現される。受付部１１０は、ユーザによる入力操作を入力装置で受け付ける機能を有する。
【００２５】
測定部１２０は、例えば通信回路、制御プログラムを実行するプロセッサ等により実現される。測定部１２０は、ＢＬＥに準拠したビーコン信号を繰り返し受信して、受信強度を測定する機能を有する。
【００２６】
設定部１３０は、例えばメモリ、制御プログラムを実行するプロセッサ等により実現される。設定部１３０は、受付部１１０で操作が受け付けられた際に測定部１２０により測定されたビーコン信号の受信強度（つまり受信強度の測定値）に基づいて、設定情報の規定（つまり生成或いは更新）を行う機能を有する。この設定情報は、情報端末１００とそのビーコン信号の送信源の装置（例えば送信装置２００）との距離に係る複数の区分とビーコン信号の受信強度とを対応付ける情報である。設定部１３０は規定した設定情報をメモリ等の記憶媒体に記録して保持する。設定情報は、Ｉｍｍｅｄｉａｔｅ区分、Ｎｅａｒ区分、Ｆａｒ区分とビーコン信号の受信強度とを対応付ける情報であり、設定情報の一例を図３に示す。同図の例では、設定情報は、各区分と受信強度とを対応付けるために、受信強度の各区分を画する閾値であるＩｍｍｅｄｉａｔｅ最大境界値及びＮｅａｒ最大境界値のそれぞれと受信強度とを対応付けている。ここでは、Ｉｍｍｅｄｉａｔｅ最大境界値は、Ｉｍｍｅｄｉａｔｅ区分とＮｅａｒ区分との境界（Ｉｍｍｅｄｉａｔｅ区分の受信強度の下限）を表し、Ｎｅａｒ最大境界値は、Ｎｅａｒ区分とＦａｒ区分との境界（Ｎｅａｒ区分の受信強度の下限）を表すものとする。図３の例では、設定情報は、測定部１２０が受信したビーコン信号に含まれるビーコン情報毎について（ビーコン情報が２種以上あれば各ビーコン情報について）、Ｉｍｍｅｄｉａｔｅ最大境界値及びＮｅａｒ最大境界値のそれぞれと受信強度（ｄＢｍ）とを対応付けている。ビーコン情報は、例えば、送信源の識別情報として、ＵＵＩＤ（Universally Unique Identifier）、Ｍａｊｏｒ値及びＭｉｎｏｒ値を含む。ビーコン信号の受信強度（ＲＳＳＩ）は、情報端末１００とビーコン信号の送信源（例えば送信装置２００）との間に障害（遮蔽）要因がない場合（理想的な状態の場合）に距離と一定の関係を有する。例えば距離が短い程、受信強度が強くなる関係である。このため、ビーコン信号の受信強度が大きいほど距離が近いと推定される。このため、設定部１３０では、Ｉｍｍｅｄｉａｔｅ最大境界値としての受信強度が、Ｎｅａｒ最大境界値としての受信強度より大きい値であるように、各値の整合性の検証をした上で設定情報の規定を行う。即ち、設定部１３０は、受付部１１０が受け付けた操作に応じてＩｍｍｅｄｉａｔｅ最大境界値又はＮｅａｒ最大境界値を設定する際に、その設定の候補値を算定して候補値について整合性の検証を行う。検証で整合性がない（異常）であると判定した場合において設定部１３０は、設定情報の規定を抑止する（つまり設定情報の生成或いは更新を行わない）。設定部１３０が設定情報の規定を行う前において、予め定められた初期値（既定値）を含む設定情報がメモリ等の記憶媒体に保持されていることとしてもよい。
【００２７】
出力部１４０は、測定部１２０で受信して測定されたビーコン信号の受信強度から、設定情報に基づいて、複数の区分のうち情報端末１００と送信装置２００との位置関係に該当する区分を判定し、判定した区分に基づく出力を実行する機能を有する。出力部１４０は、設定部１３０で設定情報が規定された後には、その設定情報に基づいて、Ｉｍｍｅｄｉａｔｅ区分、Ｎｅａｒ区分及びＦａｒ区分のうち情報端末１００と送信装置２００との位置関係に該当する区分を判定する。出力部１４０は、判定した区分に応じて一定条件下で通信装置３００へ制御信号を送信する。この他、出力部１４０は、判定した区分に基づく出力を、制御信号の送信の他に、表示装置への情報の表示（例えば区分に相当する表示）等により実現してもよい。
【００２８】
表示部１５０は、例えば表示装置、制御プログラムを実行するプロセッサ等により実現される。表示部１５０は、ビーコン情報等の表示機能、設定情報に基づく距離の表示機能、異常の報知機能等を有する。ビーコン情報等の表示機能は、測定部１２０で受信したビーコン信号に基づくビーコン情報、受信強度の測定値、距離等を例えば１秒間隔等で繰り返し表示する機能である。設定情報に基づく距離の表示機能は、設定部１３０により規定された設定情報が含むＩｍｍｅｄｉａｔｅ最大境界値、Ｎｅａｒ最大境界値（つまり受信強度の値）それぞれに対応する距離を特定してその距離を表示する機能である。この距離の特定は、例えば、上述の理想的な状態の場合における受信強度と距離との一定の関係に従って予め定められた関数（計算式等）或いはテーブル（対応表）に基づいて行われる。また、異常の報知機能は、設定部１３０が、設定情報を規定する際に上述の整合性の検証で異常であると判定した場合（つまり設定情報の規定の抑止を行う場合）において、表示装置にエラーメッセージを表示することで異常をユーザに報知する機能である。
【００２９】
（動作）
以下、上述の構成を備える制御システム１０における情報端末１００等の動作について説明する。
【００３０】
送信装置２００は、所定周期で（例えば数百ミリ秒毎に）、ＵＵＩＤ、Ｍａｊｏｒ値、Ｍｉｎｏｒ値等のビーコン情報を含むビーコン信号を繰り返し送信する。これにより、住宅２０の玄関ドア付近から屋外に向けてビーコン信号が送信されることになる。
【００３１】
ここでは、説明の便宜上、住宅２０における機器３１０ａ、３１０ｂの制御が開始されるようになる位置（情報端末１００と送信装置２００との位置関係）を決定したいユーザが情報端末１００を携帯し、最初に住宅２０の屋外で玄関ドア付近にいるものとする。そして、ユーザは、情報端末１００で、キャリブレーション機能の実行を指示する操作を行う。その後に１つの操作手順の例としては、玄関ドア付近から少し移動して（Ｉｍｍｅｄｉａｔｅ区分とＮｅａｒ区分との境界に相当する位置関係として決定したい位置に情報端末１００を携帯して移動して）、Ｉｍｍｅｄｉａｔｅ最大境界値の設定操作を行う。更に、もう少し玄関ドアから遠く離れて（Ｎｅａｒ区分とＦａｒ区分との境界に相当する位置関係として決定したい位置に情報端末１００を携帯して移動して）、Ｎｅａｒ最大境界値の設定操作を行う。
【００３２】
情報端末１００は、ユーザによりキャリブレーション機能の実行を指示する操作（例えばキャリブレーション用アプリケーションプログラムの起動操作等）がなされた場合等において図４に示すキャリブレーション処理を実行する。
【００３３】
図４は、情報端末１００におけるキャリブレーション処理の一例を示すフローチャートである。以下、同図に即して情報端末１００によるキャリブレーション処理を説明する。
【００３４】
情報端末１００は、送信装置２００からのビーコン信号を受信して受信強度を測定する（ステップＳ１１）。
【００３５】
情報端末１００は、測定した受信強度とビーコン信号の内容とに基づいてビーコン受信情報を特定する（ステップＳ１２）。キャリブレーション処理においてビーコン受信情報は表示用に用いられる。例えば、ビーコン受信情報は、ＵＵＩＤ、Ｍａｊｏｒ値、Ｍｉｎｏｒ値、受信強度（ＲＳＳＩ）、Ａｃｃｕｒａｃｙ（測定誤差を表す精度）等である。表示用に用いる場合のビーコン受信情報を構成する受信強度については、１回測定した受信強度であってもよいし、例えば直近の複数回に亘り測定した受信強度に基づく統計処理の結果として特定してもよい。そして、情報端末１００は、表示用のビーコン受信情報を含むＧＵＩ（Graphical User Interface）画面を表示装置に表示する（ステップＳ１３）。このＧＵＩ画面には、例えば、Ｉｍｍｅｄｉａｔｅ最大境界値及びＮｅａｒ最大境界値のそれぞれについての設定操作を受け付けるためのＧＵＩ部品（Ｉｍｍｅｄｉａｔｅ設定ボタン、Ｎｅａｒ設定ボタン）が含まれる。なお、情報端末１００は、Ｉｍｍｅｄｉａｔｅ最大境界値及びＮｅａｒ最大境界値のそれぞれについての設定操作を、ＧＵＩ画面以外のユーザインタフェース（例えばキーボード、音声入力インタフェース等）で受け付けることとしてもよい。
【００３６】
情報端末１００は、Ｉｍｍｅｄｉａｔｅ最大境界値の設定操作を受けた場合に（ステップＳ１４）、設定操作時に情報端末１００の位置で測定されたビーコン信号の受信強度に基づいてＩｍｍｅｄｉａｔｅ最大境界値を設定する処理を行う（ステップＳ１５〜Ｓ１８）。Ｉｍｍｅｄｉａｔｅ最大境界値の設定操作は、例えばＩｍｍｅｄｉａｔｅ設定ボタンの押下操作であり、設定したい位置に移動したユーザによりなされると想定される。Ｉｍｍｅｄｉａｔｅ最大境界値の設定は、Ｉｍｍｅｄｉａｔｅ最大境界値を含む設定情報（図３）の規定である。以下、詳細に説明する。
【００３７】
情報端末１００は、Ｉｍｍｅｄｉａｔｅ最大境界値の設定操作を受けると（ステップＳ１４）、ビーコン信号を受信して受信強度の測定を所定回数（例えば２０回）行う（ステップＳ１５）。そして、ステップＳ１５で測定された所定回数分の受信強度（測定値）に基づいてＩｍｍｅｄｉａｔｅ最大境界値の候補値を特定する（ステップＳ１６）。ステップＳ１６では、例えば、連続して測定された所定回数分の受信強度（測定値）に統計処理を行って算出した中央値を、Ｉｍｍｅｄｉａｔｅ最大境界値の候補値として特定する。図５に、繰り返し測定したビーコン信号の受信強度（測定値）の一例を示す。測定値Ｖ１、測定値Ｖ２、測定値Ｖ３〜測定値Ｖ２０は、この順に連続して測定された受信強度の測定値を例示したものである。同図に示す測定値Ｖ１３及び測定値Ｖ１６のように、他の測定値群とは大きさが大きく異なるものを除外して、つまり極端な測定値の影響を抑えて、測定結果を算定するための１つの方法として、中央値を候補値として採用することは有用である。また、所定回数分の受信強度の測定値のうち大きい方からＭ個（Ｍは１以上所定回数の半分未満の整数）と小さな方からＭ個とを除いた値の平均値を、候補値とする方法も有用である。しかし、情報端末１００を、他の方法により、測定値群から、Ｉｍｍｅｄｉａｔｅ最大境界値の候補値を特定するように、構成してもよい。
【００３８】
情報端末１００は、ステップＳ１６で特定したＩｍｍｅｄｉａｔｅ最大境界値の候補値が、設定情報に含まれるＮｅａｒ最大境界値より大きいか否かを判定する（ステップＳ１７）。この判定は、上述した整合性の検証のためのものであり、肯定的に判定された場合（つまりＩｍｍｅｄｉａｔｅ最大境界値の方が大きいと判断された場合）には、その候補値を、Ｉｍｍｅｄｉａｔｅ最大境界値として設定情報の規定を行う（ステップＳ１８）。この規定は、設定情報の内容として生成（新たに記録）することであり、既に同じビーコン情報（ＵＵＩＤ等）についてＩｍｍｅｄｉａｔｅ最大境界値が記録されているときにはそのＩｍｍｅｄｉａｔｅ最大境界値を更新することである。なお、ステップＳ１７では情報端末１００は、未だ設定情報としてＮｅａｒ最大境界値が記録されていない場合にも肯定的に判定するものとする。否定的に判定された場合（つまりＩｍｍｅｄｉａｔｅ最大境界値の方が大きくないと判断された場合）には、エラーメッセージを表示装置に表示する（ステップＳ２１）。
【００３９】
ステップＳ１８に続いて、情報端末１００は、設定情報として規定したＩｍｍｅｄｉａｔｅ最大境界値に対応する距離を関数或いはテーブルに基づいて特定する（ステップＳ１９）。そして、情報端末１００は、設定情報として規定したＩｍｍｅｄｉａｔｅ最大境界値と特定した距離とを表示装置に表示する（ステップＳ２０）。ステップＳ２０での表示により、例えば、Ｉｍｍｅｄｉａｔｅ最大境界値と距離とが、ステップＳ１３で表示されたＧＵＩ画面の一部の表示領域の内容として、表示される。
【００４０】
情報端末１００は、Ｎｅａｒ最大境界値の設定操作を受けた場合に（ステップＳ２２）、その設定操作時に情報端末１００の位置で測定されたビーコン信号の受信強度に基づいてＮｅａｒ最大境界値を設定する処理を行う（ステップＳ２３〜Ｓ２６）。Ｎｅａｒ最大境界値の設定操作は、例えばＮｅａｒ設定ボタンの押下操作であり、設定したい位置に移動したユーザによりなされると想定される。Ｎｅａｒ最大境界値の設定は、Ｎｅａｒ最大境界値を含む設定情報（図３）の規定である。
【００４１】
即ち、情報端末１００は、ステップＳ１４と同様に、Ｎｅａｒ最大境界値の設定操作を受けると（ステップＳ２２）、ビーコン信号を受信して受信強度の測定を所定回数（例えば２０回）行う（ステップＳ２３）。そして、ステップＳ２３で測定された所定回数分の受信強度（測定値）に基づいてＮｅａｒ最大境界値の候補値を特定する（ステップＳ２４）。ステップＳ２４では、ステップＳ１６でＩｍｍｅｄｉａｔｅ最大境界値の候補値を特定した方法と同様の方法でＮｅａｒ最大境界値の候補値として特定する。例えば、連続して測定された所定回数分の受信強度（測定値）に統計処理を行って算出した中央値を、Ｎｅａｒ最大境界値の候補値として特定する。
【００４２】
情報端末１００は、ステップＳ２４で特定したＮｅａｒ最大境界値の候補値が、設定情報に含まれるＩｍｍｅｄｉａｔｅ最大境界値より小さいか否かを判定する（ステップＳ２５）。この判定は、ステップＳ１７と同様に上述した整合性の検証のためのものであり、肯定的に判定された場合（つまりＮｅａｒ最大境界値の方が小さいと判断された場合）には、その候補値を、Ｎｅａｒ最大境界値として設定情報の規定を行う（ステップＳ２６）。なお、ステップＳ２５では情報端末１００は、未だ設定情報としてＩｍｍｅｄｉａｔｅ最大境界値が記録されていない場合にも肯定的に判定するものとする。否定的に判定された場合（つまりＮｅａｒ最大境界値の方が小さくないと判断された場合）には、エラーメッセージを表示装置に表示する（ステップＳ２９）。
【００４３】
ステップＳ２６に続いて、情報端末１００は、設定情報として規定したＮｅａｒ最大境界値に対応する距離を関数或いはテーブルに基づいて特定する（ステップＳ２７）。そして、情報端末１００は、設定情報として規定したＮｅａｒ最大境界値と特定した距離とを表示装置に表示する（ステップＳ２８）。ステップＳ２８での表示により、例えば、Ｎｅａｒ最大境界値と距離とが、ステップＳ１３で表示されたＧＵＩ画面の一部の表示領域の内容として、表示される。
【００４４】
情報端末１００は、キャリブレーション機能の実行終了を指示する操作を受けない間は上述の処理（ステップＳ１１〜Ｓ１４、Ｓ２２等）を繰り返し実行し、実行終了を指示する操作を受けるとキャリブレーション処理を終える（ステップＳ３０）。キャリブレーション機能の実行終了を指示する操作は、例えばキャリブレーション用アプリケーションプログラムを終了させる操作等である。
【００４５】
このように情報端末１００は、ステップＳ１８及びステップＳ２６での処理により、ユーザの操作に対応して、受信強度の測定値に基づいて、情報端末１００と送信装置２００との距離に係る複数の区分とビーコン信号の受信強度とを対応付ける設定情報を規定する。
【００４６】
上述のステップＳ１３、Ｓ２０、Ｓ２８での表示がなされた後における情報端末１００の表示装置の画面の一例を図６に示す。
【００４７】
図６に示すＧＵＩ画面５００は、ビーコン受信情報のうちのＵＵＩＤ、Ｍａｊｏｒ値及びＭｉｎｏｒ値を表す表示領域５１０と受信強度（ＲＳＳＩ）及びＡｃｃｕｒａｃｙを表す表示領域５２０と、Ｉｍｍｅｄｉａｔｅ設定ボタン５３１と、Ｎｅａｒ設定ボタン５４１と、設定情報として設定されたＩｍｍｅｄｉａｔｅ最大境界値及びＮｅａｒ最大境界値それぞれの値及び対応する距離を示す表示領域５３２、５４２とを含む。ユーザは、表示領域５１０を見ることで、設定対象となるビーコン信号の送信源の装置（例えば送信装置２００）について確認できる。このＧＵＩ画面５００に対してユーザがＩｍｍｅｄｉａｔｅ設定ボタン５３１を押下すると、情報端末１００はビーコン信号の受信強度を所定回数計測してその結果に基づきＩｍｍｅｄｉａｔｅ最大境界値を含む設定情報を規定し、表示領域５３２の内容を更新する。また、ユーザがＮｅａｒ設定ボタン５４１を押下すると、情報端末１００はビーコン信号の受信強度を所定回数（例えば２０回）計測してその結果に基づいて、Ｎｅａｒ最大境界値を含む設定情報を規定して表示領域５３２の内容を更新する。但し、Ｉｍｍｅｄｉａｔｅ最大境界値が、Ｎｅａｒ最大境界値より大きい値であるという整合性が満たされない状態では設定情報の規定を行わず、上述のステップＳ２１或いはステップＳ２９によりエラーメッセージが表示される。
【００４８】
図７は、エラーメッセージを表示したＧＵＩ画面の一例を示す。同図に示すＧＵＩ画面５００ａは、エラーメッセージを内容とする表示領域５４２ａを含んでいる。情報端末１００は、例えば、Ｎｅａｒ設定ボタン５４１の押下に対応して適切にＮｅａｒ最大境界値が設定できなかった場合に、ステップＳ２９で表示領域５４２ａのエラーメッセージを表示する。なお、図７は、一例に過ぎず、エラーメッセージには、整合性の検証に失敗したＮｅａｒ最大境界値の候補値（受信強度）及び対応する距離等を含ませてもよい。
【００４９】
情報端末１００は、Ｉｍｍｅｄｉａｔｅ区分、Ｎｅａｒ区分等の各区分と受信強度との対応を定めた設定情報（図３参照）を参照して、住宅２０における機器を制御するための制御機能（制御処理）を実行する。なお、設定情報は、上述したキャリブレーション処理（図４参照）で記録或いは更新されたものである。
【００５０】
図８は、情報端末１００における制御処理の一例を示すフローチャートである。以下、同図に即して情報端末１００による制御処理を説明する。ステップＳ４１〜Ｓ４５は、例えば１秒毎等の周期で、繰り返し行われる。
【００５１】
情報端末１００は、送信装置２００からのビーコン信号を受信して受信強度を測定する（ステップＳ４１）。なお、ステップＳ４１においてビーコン信号を複数回受信して受信強度を複数回測定してもよい。また、ビーコン信号の受信ができた場合に、情報端末１００は、ステップＳ４２〜Ｓ４５を行い、ビーコン信号の受信ができない場合には、ステップＳ４２〜Ｓ４５を省略する。
【００５２】
情報端末１００は、測定した受信強度とビーコン信号の内容とに基づいてビーコン受信情報を特定する（ステップＳ４２）。ビーコン受信情報は、ＵＵＩＤ、Ｍａｊｏｒ値、Ｍｉｎｏｒ値、受信強度（ＲＳＳＩ）等である。このビーコン受信情報を構成する受信強度は、ステップＳ４１で１回測定した受信強度であってもよいし、例えば繰り返し実行されるステップＳ４１で直近の複数回（例えば直近の数秒間分の回数）に亘り測定した受信強度の平均値等であってもよい。
【００５３】
続いて、情報端末１００は、ステップＳ４２で特定したビーコン受信情報を構成する受信強度に基づいて、設定情報を参照して、該当する区分（現在の距離区分と称する）を特定する（ステップＳ４３）。即ち、情報端末１００は、受信強度が、設定情報のＩｍｍｅｄｉａｔｅ最大境界値以上であれば現在の距離区分をＩｍｍｅｄｉａｔｅ区分と特定する。また、情報端末１００は、受信強度が、設定情報のＩｍｍｅｄｉａｔｅ最大境界値未満であってＮｅａｒ最大境界値以上であれば現在の距離区分をＮｅａｒ区分と特定する。また、情報端末１００は、受信強度が、設定情報のＮｅａｒ最大境界値未満であれば現在の距離区分をＦａｒ区分と特定する。現在の距離区分は、設定情報を用いて特定（推定）される距離に係る区分に相当する。
【００５４】
次に、情報端末１００は、現在の距離区分、前回の距離区分（１回前のステップＳ４３で特定されて後述するステップＳ４５で保存された距離区分）等に応じた処理を行い、一定条件下で制御信号を通信装置３００に送信する（ステップＳ４４）。ステップＳ４４での処理は、例えば距離区分により条件判断をして条件が成立した場合に予め定めた制御信号を送信する処理である。具体的な一例としては、前回の距離区分がＮｅａｒ区分であり、現在の距離区分がＩｍｍｅｄｉａｔｅ区分である場合において、情報端末１００は、電気錠システムである機器３１０ｂに解錠に必要な制御を行わせるための制御信号を、通信装置３００に送信する。また、前回の距離区分がＮｅａｒ区分であり、現在の距離区分がＦａｒ区分である場合において、情報端末１００は、照明機器である機器３１０ａに消灯状態とする制御を行わせるための制御信号を、通信装置３００に送信する。通信装置３００は、情報端末１００から制御信号を受信するとその内容に応じて予め定められた機器制御情報を機器３１０ａ、機器３１０ｂ等に送信する。情報端末１００は、ステップＳ４４での処理において、距離区分による条件判断の他に、ビーコン受信情報を構成するＵＵＩＤ、Ｍａｊｏｒ値、Ｍｉｎｏｒ値について条件判断を行うこととしてもよい。例えば、住宅２０において送信装置２００と同様の送信装置を複数設置する場合には、互いに異なる内容のビーコン信号を送信する各送信装置を識別して制御することが有用である。また、ステップＳ４４で行う処理内容について、ユーザが予め設定できることとしてもよい。
【００５５】
続いて、情報端末１００は、現在の距離区分を、前回の距離区分として保存する（ステップＳ４５）。
【００５６】
このように、情報端末１００は、ユーザの操作を受けてキャリブレーション処理で調整した設定情報を制御処理で活用し、ビーコン信号の送信源との位置関係に該当する区分を判定して、判定結果に応じて制御信号を送信するか否か等を切り替え得る。
【００５７】
（他の実施の形態等）
以上、実施の形態１により情報端末１００を含む制御システム１０について説明したが、上述した実施の形態は一例にすぎず、各種の変更、付加、省略等が可能であることは言う迄もない。
【００５８】
上述の実施の形態では、設定情報が、Ｉｍｍｅｄｉａｔｅ最大境界値（Ｉｍｍｅｄｉａｔｅ区分としての受信強度の下限値）と、Ｎｅａｒ最大境界値（Ｎｅａｒ区分としての受信強度の下限値）とを含むこととした。これは一例に過ぎず、設定情報は、情報端末１００とビーコン信号を送信する送信装置との距離に係る複数の区分とビーコン信号の受信強度とを対応付ける情報であれば、いかなる形式の情報であってもよい。
【００５９】
また、上述の実施の形態では、送信装置２００がＢＬＥに準拠してビーコン信号を送信し情報端末１００がそのビーコン信号を受信することとしたが、ＢＬＥ以外の近距離無線通信技術（近距離無線通信方式）を用いても良い。また、情報端末１００と通信装置３００との間での通信方式も特定の方式に限定されない。
【００６０】
また、上述の実施の形態では、情報端末１００が、制御処理（図８参照）において、設定情報を参照して特定した距離区分に応じた制御信号を、一定条件下で通信装置３００に送信することとした。この制御処理は、設定情報を利用する処理の一例に過ぎない。例えば、情報端末１００は、設定情報を参照して特定した現在の距離区分を示す制御信号を、通信装置３００に送信することとしてもよく、通信装置３００において既に受信した複数の制御信号の内容に応じて制御対象の機器、制御内容等を決定してもよい。また、情報端末１００は、現在の距離区分が所定区分（例えばＩｍｍｅｄｉａｔｅ区分）である場合に限って制御信号を通信装置３００に送信することとしてもよい。また、情報端末１００は、制御信号に、ビーコン情報を含めて送信してもよい。
【００６１】
また、情報端末１００は、必ずしも通信装置３００と通信する必要はない。例えば、情報端末１００は、制御処理のステップＳ４４において、一定条件下で直接的に機器３１０ａ、３１０ｂに制御のための信号を送信してもよい。また、情報端末１００は、外部の機器を制御しなくてもよく、制御処理のステップＳ４４において、一定条件下で現在の距離区分、前回の距離区分等に応じた情報を、自端末（情報端末１００）における表示装置に表示する表示制御を行ってもよい。
【００６２】
また、上述の実施の形態では、送信装置２００が住宅２０の屋外に向けてビーコン信号を送信する例を示した。しかし、ビーコン信号の送信源としての送信装置は、住宅２０或いは他の事務所、駅舎、病院、競技場、ビルその他の施設或いはその他の場所に設けられてもよく、屋内、屋外を問わずにビーコン信号をいかなる方向に送信してもよい。
【００６３】
また、上述の制御システム１０において、例えば情報端末１００と同様の情報端末Ａが、ビーコン信号を受信して通信装置３００に制御信号を送信することで機器３１０ａ、３１０ｂを制御できるようにしてもよい。情報端末Ａは、例えば情報端末１００を携帯するユーザとは別の者（例えば同じ住宅２０に同居する家族等）により携帯される。この場合には、例えば情報端末１００と情報端末Ａとを同じ位置に置いて、それぞれにＩｍｍｅｄｉａｔｅ最大境界値或いはＮｅａｒ最大境界値の設定操作を行うことで、情報端末１００及び情報端末Ａにおける設定情報の内容を略同一に揃えることができる。
【００６４】
また、上述の情報端末１００における処理手順（図４及び図８に示す手順等）の実行順序は、必ずしも、上述した通りの順序に制限されるものではなく、発明の要旨を逸脱しない範囲で、実行順序を入れ替えたりその一部を省略したりすることができる。また、その処理手順（図４及び図８に示す手順等）の全部又は一部は、ハードウェアにより実現されても、ソフトウェアを用いて実現されてもよい。なお、ソフトウェアによる処理は、情報端末１００に含まれるプロセッサがメモリに記憶された制御プログラムを実行することにより実現されるものである。また、その制御プログラムを記録媒体に記録して頒布や流通させても良い。例えば、頒布された制御プログラムを情報端末（コンピュータ）にインストールして、プロセッサに実行させることで、情報端末に図４及び図８に示した処理手順の全部又は一部を行わせることが可能となる。
【００６５】
また、上述した実施の形態及び変形例で示した構成要素及び機能を任意に組み合わせることで実現される形態も本発明の範囲に含まれる。
【００６６】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００６７】
以下、本発明の一態様に係る情報端末、情報処理方法及び制御プログラムについての構成、変形態様、効果等について示す。
【００６８】
（１）本発明の一態様に係る制御プログラムは、プロセッサを備え通信機能を有する情報端末１００に所定情報処理を実行させるための制御プログラムであって、所定情報処理は、操作を受け付ける受付ステップ（例えばステップＳ１４、Ｓ１２等）と、送信装置２００から送信されるビーコン信号の受信強度（ＲＳＳＩ）の測定を行う測定ステップ（例えばステップＳ１１、Ｓ１５、Ｓ２３、Ｓ４１等）と、前記操作が受け付けられた際に前記測定ステップで測定された受信強度に基づいて、情報端末１００と送信装置２００との距離に係る複数の区分とビーコン信号の受信強度とを対応付ける設定情報を規定する設定ステップ（例えばステップＳ１８、Ｓ２６等）とを含む。設定情報の規定は、情報端末１００が備えるメモリ等の記憶媒体へ設定情報を新たな記録すること又はその記録媒体中の既存の情報を設定情報の内容となるように更新することである。
【００６９】
この制御プログラムを情報端末１００にインストールして、プロセッサに実行させることにより、情報端末１００とビーコン信号の送信装置２００との距離を推定するために用いる受信強度の区分について、ユーザが操作により任意に設定できるようになる。
【００７０】
（２）例えば、前記測定ステップでは、ビーコン信号の受信強度の測定を繰り返し行い、設定情報は、前記複数の区分のうち第１区分（例えばＩｍｍｅｄｉａｔｅ区分）と第２区分（例えばＮｅａｒ区分）との間の境界に対応するビーコン信号の受信強度である第１閾値（例えばＩｍｍｅｄｉａｔｅ最大境界値）を示す情報を含み、前記設定ステップでは、第１操作（例えばＩｍｍｅｄｉａｔｅ設定ボタン５３１の押下操作等のＩｍｍｅｄｉａｔｅ最大境界値の設定操作）が受け付けられた際に、測定ステップ（例えばステップＳ１５）で複数回に亘って測定された複数の前記受信強度に基づいて第１閾値を定めることにより、設定情報の規定（つまり新たな記録又は更新）を行うこととしてもよい。
【００７１】
これにより、相対的に遠近の関係にある距離に対応する各区分を、複数回の測定結果に基づいて適切に規定することが可能となる。
【００７２】
（３）例えば、前記設定ステップでは、第１操作が受け付けられた際に、前記測定ステップでＮ回（Ｎは３以上の整数）に亘って連続的に測定されたＮ個の受信強度の値における中央値、又は、Ｎ個の受信強度の値のうち大きい方からＭ個（Ｍは１以上Ｎ／２未満の整数）と小さな方からＭ個とを除いた値の平均値を、第１閾値として定めることにより、設定情報の規定を行うこととしてもよい。
【００７３】
これにより、例えば図５に示す受信強度の測定値Ｖ１３及び測定値Ｖ１６のように、他の測定値群とは大きさが大きく異なるものの影響を抑制して、第１閾値を定めることができるようになる。
【００７４】
（４）例えば、所定情報処理は、更に、前記設定ステップで規定された設定情報が含む第１閾値に対応する距離を特定してその距離を表示する距離表示ステップ（例えばステップＳ１９、Ｓ２０）を含むこととしてもよい。
【００７５】
これにより、ユーザは、設定情報の内容に対応した距離を確認することが可能となり、例えば、設定情報の再設定（更新）の必要性等を判断し得る。
【００７６】
（５）例えば、設定情報は、前記複数の区分のうちの第２区分（例えばＮｅａｒ区分）と、その第２区分に連続する第３区分（例えばＦａｒ区分）との間の境界に対応するビーコン信号の受信強度である第２閾値（例えばＮｅａｒ最大境界値）を示す情報を更に含み、前記設定ステップでは更に、第２操作（例えばＮｅａｒ設定ボタン５４１の押下操作等のＮｅａｒ最大境界値の設定操作）が受け付けられた際に、測定ステップ（例えばステップＳ２３）で複数回に亘って測定された複数の受信強度に基づいて第２閾値を定めることにより、設定情報の規定を行うこととしてもよい。
【００７７】
これにより、第１閾値及び第２閾値の２つの閾値により３つの区分を区別した設定情報を、複数回の測定結果に基づいて適切に規定することが可能となる。
【００７８】
（６）例えば、第２区分は、第１区分より遠距離に相当し、かつ、第３区分より近距離に相当し、前記設定ステップでは、更に、設定情報が示す第２閾値を定めた後に第１操作が受け付けられた際に、前記測定ステップで複数回に亘って測定された複数の受信強度に基づいて第１閾値の候補値を定め、第１閾値の候補値が第２閾値より大きい場合には、第１閾値の候補値を第１閾値として定めることにより設定情報の規定を行い、第１閾値の候補値が第２閾値より大きくない場合には、その設定情報の規定（規定すること）を抑止し、設定情報が示す第１閾値を定めた後に第２操作が受け付けられた際に、前記測定ステップで複数回に亘って測定された複数の受信強度に基づいて第２閾値の候補値を定め、第２閾値の候補値が第１閾値より小さい場合には、第２閾値の候補値を第２閾値として定めることにより設定情報の規定を行い、第２閾値の候補値が第１閾値より小さくない場合には、その設定情報の規定（規定すること）を抑止することとしてもよい。受信強度を区別する各区分に相当する距離は、例えば、ビーコン信号の伝送経路において障害物等の障害要因がない場合において各区分の受信強度（受信強度の範囲）に対応する距離（距離の範囲）を意味する。
【００７９】
これにより、設定情報における各閾値の整合性が保たれるようになる。
【００８０】
（７）例えば、設定情報は、前記複数の区分のうち第１区分と第２区分との間の境界に対応するビーコン信号の受信強度である第１閾値を示す情報と、前記複数の区分のうちの第２区分と、第２区分に連続する第３区分との間の境界に対応するビーコン信号の受信強度である第２閾値を示す情報とを含み、第２区分は、第１区分より遠距離に相当し、かつ、第３区分より近距離に相当し、前記設定ステップでは、第１操作が受け付けられた際に、前記測定ステップで測定された受信強度に基づいて第１閾値を定めることにより、設定情報の規定を行い、更に、設定情報が示す第１閾値を定めた後に第２操作が受け付けられた際に、前記測定ステップで測定された受信強度に基づいて第２閾値の候補値を定め、第２閾値の候補値が第１閾値より小さい場合には、第２閾値の候補値を第２閾値として定めることにより設定情報の規定を行い、第２閾値の候補値が第１閾値より小さくない場合には、その設定情報のその規定（規定を行うこと）を抑止することとしてもよい。
【００８１】
これにより、設定情報における各閾値の整合性が保たれるようになる。
【００８２】
（８）例えば、所定情報処理は、更に、前記設定ステップで設定情報の規定の抑止を行う場合において異常を報知する異常報知ステップ（例えばステップＳ２１、Ｓ２９等）を含むこととしてもよい。
【００８３】
これにより、ユーザは、設定情報を設定において異常が生じたことを認識できるようになる。
【００８４】
（９）例えば、所定情報処理は、更に、前記測定ステップで測定したビーコン信号の受信強度とそのビーコン信号の内容とに基づく表示を行う表示ステップ（例えばステップＳ１３等）を含むこととしてもよい。
【００８５】
これにより、ユーザは、ビーコン信号の内容（例えばＵＵＩＤ等の識別情報）等を確認できるようになる。
【００８６】
（１０）例えば、前記測定ステップでは、受信強度の測定を繰り返し行い、所定情報処理は、更に、前記設定ステップで設定情報が規定された後に前記測定ステップで測定された受信強度から、その設定情報に基づいて、前記複数の区分のうち情報端末１００と送信装置２００との位置関係に該当する区分を判定し、判定した区分に基づく出力を実行する出力ステップ（例えばステップＳ４４）を含むこととしてもよい。
【００８７】
これにより、ユーザの操作に応じて規定された設定情報を用いて情報端末１００とビーコン信号を送信する送信装置２００との位置関係に応じた出力（情報の表示、制御信号の送信等）が行われるようになる。なお、情報端末１００では、前記設定ステップで設定情報を規定する前において、設定情報に相当する既定情報（固定値）によって前記出力ステップでの区分の判定を行うこととしてもよい。
【００８８】
（１１）例えば、前記出力ステップでは、前記判定した区分が所定区分（例えばＩｍｍｅｄｉａｔｅ区分）である場合に情報端末１００の外部に所定信号（特定の制御信号）を送信することで前記出力を実行することとしてもよい。
【００８９】
これにより、所定信号を受信した装置（例えば通信装置３００）においてその受信を契機として各種制御（例えば機器３１０ａ、３１０ｂ等の制御）を行うことが可能となる。
【００９０】
（１２）本発明の一態様に係る情報端末は、送信装置２００から送信されるビーコン信号を受信する情報端末１００であって、操作を受け付ける受付部１１０と、送信装置２００から送信されるビーコン信号の受信強度の測定を行う測定部１２０と、前記操作が受け付けられた際に測定部１２０により測定されたビーコン信号の受信強度に基づいて、情報端末１００と送信装置２００との距離に係る複数の区分とビーコン信号の受信強度とを対応付ける設定情報を規定する設定部１３０と、設定部１３０で設定情報が規定された後に測定部１２０で測定された受信強度から、その設定情報に基づいて、前記複数の区分のうち情報端末１００と送信装置２００との位置関係に該当する区分を判定し、判定した区分に基づく出力を実行する出力部１４０とを備える。
【００９１】
これにより、情報端末１００とビーコン信号の送信装置２００との位置関係に応じた出力を行うための基礎となる設定情報について、ユーザが情報端末１００の操作により任意に設定できるようになる。
【００９２】
（１３）本発明の一態様に係る情報処理方法は、送信装置２００から送信されるビーコン信号を受信する情報端末１００により用いられる情報処理方法であって、操作を受け付ける受付ステップ（例えばステップＳ１４、Ｓ２２等）と、送信装置２００から送信されるビーコン信号の受信強度の測定を繰り返し行う測定ステップ（例えばステップＳ１１、Ｓ１８、Ｓ２３、Ｓ４１等）と、前記操作が受け付けられた際に前記測定ステップで測定された前記受信強度に基づいて、情報端末１００と送信装置２００との距離に係る複数の区分とビーコン信号の受信強度とを対応付ける設定情報を規定する設定ステップ（例えばステップＳ１８、Ｓ２６等）と、前記設定ステップで設定情報が規定された後に前記測定ステップで測定された受信強度から、その設定情報に基づいて、前記複数の区分のうち情報端末１００と送信装置２００との位置関係に該当する区分を判定し、判定した区分に基づく出力を実行する出力ステップ（例えばステップＳ４４）とを含む。
【００９３】
これにより、情報端末１００とビーコン信号の送信装置２００との位置関係に応じた出力を行うための基礎となる設定情報について、ユーザが情報端末１００の操作により任意に設定できるようになる。
【符号の説明】
【００９４】
１００  情報端末
１１０  受付部
１２０  測定部
１３０  設定部
１４０  出力部
２００  送信装置
【図１】
2017123574.tif 000003
【図２】
2017123574.tif 000004
【図３】
2017123574.tif 000005
【図４】
2017123574.tif 000006
【図５】
2017123574.tif 000007
【図６】
2017123574.tif 000008
【図７】
2017123574.tif 000009
【図８】
2017123574.tif 000010